(57)【要約】【課題】コンパクト且つまとまったかたちで携帯することができ、組み立てが簡便である、携帯用の立ち椅子を提案する。【解決手段】携帯用椅子１０を、携帯袋１３に入れた状態の座体１１と、携帯袋１３に形成したスリット２３を挿通して座体１１の下部に接続した脚体１２とで構成した。前記座体１１を、門状の基部材１９と、基部材１９により形成される門の下部間を連結する架橋部材２０とで構成し、基部材１９と架橋部材２０にて形成される格納空間２２に、複数の筒状部材１５・１５・１５に分解した脚体１２を格納可能とした。【選択図】図１
2005034395.tif 000002
【特許請求の範囲】
【請求項１】
一本の脚体と、該脚体の頂部に設けられた座体とで構成される携帯用椅子において、
座体を、門状の基部材と、脚体を連結するための接続部を備えるとともに、基部材により形成される門の下部間を連結する架橋部材とで構成し、
脚体を、複数の筒状部材を分解可能に螺結して構成し、
座体を構成する基部材により形成される門状の内部空間に、脚体を構成する筒状部材を格納可能としたことを特徴とする携帯用椅子。
【請求項２】
前記座体を、杖の柄と交換可能とした、請求項１に記載の携帯用椅子。
【請求項３】
前記座体を格納可能な携帯袋を備え、該携帯袋に座体を格納した状態において、座体における脚体との接続部を携帯袋外部へ露出させることを可能とするスリットを携帯袋に設けたことを特徴とする、請求項１又は請求項２に記載の携帯用椅子。
【発明の詳細な説明】
【技術分野】
【０００１】
本発明は、分解して携帯することができ、また、組み立てて椅子又は杖として使用することのできる、携帯用の立ち椅子に関する。
【背景技術】
【０００２】
従来、長尺の一本脚の頂部に座台を接続して略Ｔ字状に構成した、立ち椅子が知られている。他にも、立ち椅子と杖とを兼用させたものも知られている。この立ち椅子は、人がほぼ立ったままの状態で、尻を座台に載せた状態に腰掛け、座台を介して椅子に体重を預けるようにして使用する。
【０００３】
特許文献１に記載の技術では、同形状の部材を連結して成る一本の脚体と、該脚体に取り付けられる座台とから成る立ち椅子であって、脚体を構成する部材の嵌着状態を解除して座台の下部に脚体の各構成部材を収納することにより、コンパクトに携帯可能としたものが、提案されている。また、座台を筒状に構成してその内部に携帯用折り畳み傘等を格納することができるようにしている。
これに加え、特許文献２に記載の技術では、脚体の各構成部材をワイヤで連結し、容易に組み立てることができるように構成された立ち椅子が提案されている。
【０００４】
【特許文献１】特開昭５４−１２００７０号公報
【特許文献２】特開２００１−２５８６８３号公報
【発明の開示】
【発明が解決しようとする課題】
【０００５】
上述のような椅子の使用場面として、例えば、順番待ちのために並んで待つとき、観客席のないグランドでスポーツを観戦するとき等が挙げられる。このような場面で椅子を使用するときに、椅子を容易に移動させることができるとともに、使用する場所まで椅子を軽量且つコンパクトに携帯し、使用する場所で簡易に組み立てることができるものが好ましい。
立ち椅子そのものの特性として、移動が容易であることが挙げられるが、これに加え、組み立ての簡便性及び良好な携帯性を向上させる必要がある。例えば、椅子を鞄に入れて携帯する際に、椅子が大きかったり、まとまりが悪かったりすれば、鞄に入らないことや、鞄が持ちにくくなる等の不具合が生じる。また、例えば椅子の組み立てに時間がかかったり工具が必要であったりすれば、携帯用の椅子としての機能が発揮されない。
そこで、本発明では、コンパクト且つまとまったかたちで携帯することができ、組み立てが簡便である、携帯用の立ち椅子を提案する。
【課題を解決するための手段】
【０００６】
本発明の解決しようとする課題は以上の如くであり、次にこの課題を解決するための手段を説明する。
【０００７】
即ち、請求項１においては、一本の脚体と、該脚体の頂部に設けられた座体とで構成される携帯用椅子において、座体を、門状の基部材と、脚体を連結するための接続部を備えるとともに、基部材により形成される門の下部間を連結する架橋部材とで構成し、脚体を、複数の筒状部材を分解可能に螺結して構成し、座体を構成する基部材により形成される門状の内部空間に、脚体を構成する筒状部材を格納可能としたものである。
【０００８】
請求項２においては、前記座体を、杖の柄と交換可能としたものである。
【０００９】
請求項３においては、前記座体を格納可能な携帯袋を備え、該携帯袋に座体を格納した状態において、座体における脚体との接続部を携帯袋外部へ露出させることを可能とするスリットを携帯袋に設けたものである。
【発明の効果】
【００１０】
本発明の効果として、以下に示すような効果を奏する。
【００１１】
請求項１においては、携帯用椅子の構成部材を、座体の構成部材である基部材内に格納することができ、コンパクトにまとめた状態で携帯することができる。
【００１２】
請求項２においては、携帯用椅子を杖に転用することができる。
【００１３】
請求項３においては、格納袋を携帯用椅子の座体のクッションとして機能させることができる。また、携帯用椅子を携帯時に格納している格納袋を、携帯用椅子を椅子として使用しているときにクッションとして使用することで、格納袋の紛失を防止することができる。
【発明を実施するための最良の形態】
【００１４】
次に、発明の実施の形態を説明する。
図１は本発明に係る携帯用椅子の正面図、図２は脚体を構成する筒状部材を示す図、図３は短尺の筒状部材を示す図である。図４は座体の底面図、図５は座体の正面図、図６は座体の側面図、図７は座体と脚体を接続した正面図、図８は座体に脚体を格納した様子を示す図である。図９は携帯袋を示す図、図１０は携帯袋に座体に脚体を格納した様子を示す図である。
図１１は杖の面図、図１２は杖の柄の底面図である。
【００１５】
図１に示す如く、本発明に係る携帯用椅子１０は、脚体１２と、脚体１２の頂部に接続された座体１１と、座体１１を内部に格納することのできる袋である携帯袋１３とで構成されている。
前記脚体１２及び座体１１はアルミ合金製であって、携帯用椅子１０を携帯する際に、苦痛を感じない重さであって、且つ、椅子として使用する際に使用する人の体重が掛かっても折れ曲がることのない適度な強度を備えている。
【００１６】
前記脚体１２は、図１及び図２に示す如く、複数の部材に分割可能であって、本実施例では脚体１２は三本の筒状部材１５・１５・１５（１５Ａ）から成る。但し、筒状部材１５の本数は本実施例に限定されるものではなく、脚体１２の長さや収納時の大きさに応じて、数を増減させることができる。
【００１７】
筒状部材１５・１５（１５Ａ）は、円筒体１４の、一側端部に螺孔１７ａが形成されたエンド部材１７が嵌設され、また、他側端部に螺子１６ａが形成されたエンド部材１６が嵌設され、構成されている。
但し、最下部に配置される筒状部材１５Ａの下端には、一側端部に螺孔１７ａが形成されたエンド部材１７の代わりに、滑り止め用キャップ１８が嵌装される。滑り止め用キャップ１８は合成樹脂素材の弾性ゴムから成り、携帯用椅子１０に腰を掛けた際に、脚体１２と地面との接点のずれ防止のために設けられている。また、後述するが、携帯用椅子１０を杖として使用する際には、滑り止め用キャップ１８は石突となる。
なお、筒状部材１５は中空状として軽量化が図られているが、剛性を高めるために円筒体の内部に剛性体を挿入して中実状とすることもできる。
【００１８】
また、前記筒状部材１５は全て略等しい形状であるが、図３に示す如く、それよりも短尺の筒状部材１５Ｂを備えることもできる。本実施例において、筒状部材１５の長さＨ０に対し、短尺の筒状部材１５Ｂの長さＨ１は約１／２程度として、携帯用椅子１０の高さを調整可能としている。携帯用椅子１０を使用する人の背の高さに応じて、通常の長さの筒状部材１５か、或いは、短尺筒状部材１５Ｂかを選択して、携帯用椅子１０の高さを使用する人の体型に合ったものとすることが好ましい。
【００１９】
上述の如く構成される筒状部材１５の螺孔１７ａに、他の筒状部材１５の螺子１６ａを螺入していくと、一側端部（頂部）に螺子１６ａが突出し、他側端部（下端部）に滑り止め用キャップ１８が嵌装された、長尺の脚体１２が組み立てられる。言い換えれば、脚体１２は複数の筒状部材１５・１５（１５Ａ）に分割可能であり、特別な工具等を使用することなく組み立てることができる。
【００２０】
前記座体１１は、図４乃至図６に示す如く、門状の基部材１９と、該基部材１９により形成される門の下部を連結する架橋部材２０とで構成されている。そして、基部材１９と架橋部材２０により基部材１９内部に形成される略矩形状の空間は格納空間２２として利用される。
前記基部材１９は、座体１１の座面を形成しており、座体１１が身体に当接したときの痛みを無くすために角が面取りされている。なお、携帯用椅子１０の座体１１のクッション性を向上させるために、基部材１９をクッション材で被覆することもできる。
【００２１】
前記架橋部材２０は基部材１９に溶接固定されており、架橋部材２０により基部材１９の剛性が保持されて変形が抑制されている。また、架橋部材２０には、座体１１と脚体１２とを接続するための接続部が形成されており、接続部には脚体１２の頂部に突出した状態に設けられている螺子１６ａを螺入可能な螺孔２１が形成されている。なお、螺孔２１には、螺子１６ａを螺入可能とするとともに、座体１１と脚体１２との接続角度を維持するために、螺孔２１が螺入方向に長くなるように延設され、本実施例においては、螺孔２１にナットが一体的に接続されている。
【００２２】
図７では、前記脚体１２と前記座体１１とを、連結した状態を示している。脚体１２と座体１１とは略直交するように接続され、全体でＴ字状に組み上げられる。座体１１と脚体１２の接続のみならず、前述の如く脚体１２の組み立てにおいても、特別な工具等を必要とせず、時間や場所を選ばず携帯用椅子１０を組み立てることができる。
【００２３】
また、図８では、各筒状部材１５・１５・１５に分解した脚体１２を、座体１１に形成された前記格納空間２２に格納した状態を示している。脚体１２が座体１１の格納空間２２に収まるように、座体１１と脚体１２の形状が決定されており、座体１１の格納空間２２に脚体１２を格納したコンパクトな状態で携帯可能とされている。なお、携帯時には、図１０に示す如く、携帯袋１３に座体１１の格納空間２２に脚体１２を格納した状態で挿入し、携帯袋１３内に脚体１２及び座体１１を保持させる。
このように、脚体１２の格納空間２２を座体１１に形成することで、携帯時に、脚体１２と座体１１のそれぞれのために必要な空間を共有することができ、また、格納空間２２に格納することで、鞄等に入れて携帯するときに各部材がばらつくことを防止することができる。
【００２４】
前記携帯袋１３は、図９及び図１０に示す如く、携帯用椅子１０を携帯する際に座体１１と脚体１２とを格納するための袋であり、且つ、携帯用椅子１０を椅子として使用する際に、座体１１を覆うクッション材として機能するための袋である。携帯用椅子１０は、前述の如く、座体１１と脚体１２とをＴ字状に接続した状態でも使用可能であるが、座体１１をクッション機能を有する携帯袋１３で覆うことで、携帯用椅子１０に長時間腰掛けたときの、痛みや疲れを低減させることができる。
【００２５】
前記携帯袋１３には、該携帯袋１３に座体１１を格納したときに、座体１１に設けられた接続部の螺孔２１を外部に露出することのできるスリット２３が設けられている。該スリット２３は螺孔２１の位置及び大きさに合わせて、携帯袋１３の表裏いずれか一面の略前後左右中央に設けられている。このスリット２３によって、座体１１を携帯袋１３に格納し、すなわち、座体１１が携帯袋１３で覆われている状態において、座体１１の接続部の螺孔２１に、携帯袋１３のスリット２３を通して脚体１２の頂部の螺子１６ａを螺入することができる。すなわち、予め座体１１を携帯袋１３に入れた状態で、脚体１２と座体１１とを接続することができるのである。
【００２６】
携帯袋１３を、携帯用椅子１０の携帯時のみならず、椅子として使用するときにおいても、機能部材として利用することで、携帯袋１３の紛失を防止することができる。そして、携帯用椅子１０を椅子として使用する際に、クッションの機能を果たすので、椅子に長時間腰掛けるときの身体への負担を低減させることができ、また、座体１１にクッション材を備えることが不要であるためコストを抑制することができる。
【００２７】
前記携帯袋１３は、本実施例においては、巾着袋であって、開口部を紐にて閉じることのできる形状としている。但し、携帯袋１３の構造は本実施例に限定されるものではなく、前記座体１１の全体を被覆することができる形状のものであれば構わない。例えば、貝のような開閉式であって、ファスナーや面ファスナ、ホック等で開口を閉じるものとすることができる。
【００２８】
前記携帯袋１３は、クッション機能を持たせるために、クッション性を有する布材で構成された、いわゆる、ソフトケースである。例えば、キルティング布やタオル布、クッション性を有する不職布等を携帯袋１３の布材として採用することができる。
【００２９】
また、上述の如く構成される携帯用椅子１０を、所望に応じて、杖として使用することができる。図１１では、前記携帯用椅子１０を杖１０Ａとして使用する際の形態を示している。携帯用椅子１０を杖１０Ａに変形させることは、携帯用椅子１０の座体１１の代わりに、杖の柄２５を脚体１２に連結することによって実現することができる。
図１２に示す如く、前記杖の柄２５は、一般的な杖の柄の形状であって、その底部に、脚体１２の頂部の螺子１６ａを螺入することのできる螺孔２６が形成されている。そして、脚体１２の頂部の螺子１６ａを、杖の柄２５の螺孔に螺入することによって、脚体１２と杖の柄２５とをＴ字状に接続し、杖１０Ａとすることができる。
【００３０】
杖の柄２５は、携帯用椅子１０の座体１１の内部に格納することができる大きさとすることが好ましい。これにより、携帯用椅子１０とともに杖の柄２５を携帯すれば、シュチュエーションに応じて、携帯用椅子１０を椅子として、又は、杖１０Ａとして使用することができる。
【図面の簡単な説明】
【００３１】
【図１】本発明に係る携帯用椅子の正面図。
【図２】脚体を構成する筒状部材を示す図。
【図３】短尺の筒状部材を示す図。
【図４】座体の底面図。
【図５】座体の正面図。
【図６】座体の側面図。
【図７】座体と脚体を接続した正面図。
【図８】座体に脚体を格納した様子を示す図。
【図９】携帯袋を示す図。
【図１０】携帯袋に座体に脚体を格納した様子を示す図。
【図１１】杖の面図。
【図１２】杖の柄の底面図。
【符号の説明】
【００３２】
１０    携帯用椅子
１０Ａ  杖
１１    座体
１２    脚体
１３    携帯袋
１５    筒状部材
１９    基部材
２０    架橋部材
２１    螺孔
２３    スリット
２５    杖の柄
【図１】
2005034395.tif 000003
【図２】
2005034395.tif 000004
【図３】
2005034395.tif 000005
【図４】
2005034395.tif 000006
【図５】
2005034395.tif 000007
【図６】
2005034395.tif 000008
【図７】
2005034395.tif 000009
【図８】
2005034395.tif 000010
【図９】
2005034395.tif 000011
【図１０】
2005034395.tif 000012
【図１１】
2005034395.tif 000013
【図１２】
2005034395.tif 000014